(57)【要約】【課題】強い光が照射されることが好ましい領域と強い光が照射されることが好ましくない領域との双方が存在する場合にも、それぞれの領域に適切な強さの光を照射することができる照明器具を提供する。【解決手段】照明器具１００は、光源Ｌと、光源Ｌを取り囲むように設けられ、光源Ｌが発する光を透過させる光透過部Ｔと、光源Ｌおよび光透過部Ｔを支持する支持部Ｓと、を備えている。光透過部Ｔは、光透過率が相対的に高い部分と光透過率が相対的に低い部分とを含んでいる。【選択図】図１
2020155287.tif 000002
【特許請求の範囲】
【請求項１】
光源と、
前記光源を取り囲むように設けられ、前記光源が発する光を透過させる光透過部と、
前記光源および前記光透過部を支持する支持部と、を備え、
前記光透過部は、光透過率が相対的に高い部分と前記光透過率が相対的に低い部分とを含む、照明器具。
【請求項２】
前記光透過部は、前記光源を取り囲むように配置された少なくとも３つの平面パネルによって構成されており、
前記少なくとも３つの平面パネルのうちの少なくとも１つの平面パネルの前記光透過率が前記少なくとも３つの平面パネルのうちの少なくとも２つの他の平面パネルの前記光透過率よりも低い、請求項１に記載の照明器具。
【請求項３】
前記少なくとも３つの平面パネルが４つの平面パネルである、請求項２に記載の照明器具。
【請求項４】
前記少なくとも１つの平面パネルと前記少なくとも２つの他の平面パネルとの間に見切り材が設けられた、請求項２または３に記載の照明器具。
【請求項５】
前記支持部が街路灯のポールの上端部に取り付け可能に構成された、請求項１〜４のいずれかに記載の照明器具。
【請求項６】
地面から上方へ延びるポールと、
前記ポールの上端部に取り付けられた請求項５に記載の照明器具と、を備え、
前記光透過部は、前記光透過率が相対的に高い部分を透過した光が車道に向かって照射され、かつ、前記光透過率が相対的に低い部分を透過した光が歩道に向かって照射されるように配置された、街路灯。
【発明の詳細な説明】
【技術分野】
【０００１】
本開示は、照明器具および街路灯に関する。
【背景技術】
【０００２】
従来から、たとえば、街路灯のような照明器具が歩道と車道との境界線の近傍に設置されている。このような街路灯は、歩道および車道の双方を照らすように配置されている場合がある。そのため、歩道上を歩く人および車道上を走る車の双方の交通に役立っている。
【先行技術文献】
【特許文献】
【０００３】
【特許文献１】実用新案登録第３１６０４１４号
【発明の概要】
【発明が解決しようとする課題】
【０００４】
従来の照明器具の一例の街路灯は、その周囲に均一の照度の光を照射する。しかしながら、強い光が照射されることが好ましい領域、たとえば、車道と、強い光が照射されることが好ましくない領域、たとえば、歩道との双方が存在する場合がある。この場合に、１つの照明器具で強い光が照射される領域に強い光を照射すると、強い光を照射されることが好ましくない領域にまで強い光が照射されてしまう。
【０００５】
本開示は、このような従来技術の有する課題に鑑みてなされたものである。そして、本開示の目的は、強い光が照射されることが好ましい領域と強い光が照射されることが好ましくない領域との双方が存在する場合にも、それぞれの領域に適切な強さの光を照射することができる照明器具および街路灯を提供することである。
【課題を解決するための手段】
【０００６】
上記課題を解決するために、本開示の一態様に係る照明器具は、光源と、前記光源を取り囲むように設けられ、前記光源が発する光を透過させる光透過部と、前記光源および前記光透過部を支持する支持部と、を備え、前記光透過部は、光透過率が相対的に高い部分と前記光透過率が相対的に低い部分とを含む。
【発明の効果】
【０００７】
本開示によれば、強い光が照射されることが好ましい領域と強い光が照射されることが好ましくない領域との双方が存在する場合にも、それぞれの領域に適切な強さの光を照射することができる。
【図面の簡単な説明】
【０００８】
【図１】実施の形態の照明器具を含む街路灯が車道と歩道との境界線の近傍に設けられた状態を示す左側面図（右側面図とほぼ同一）である。
【図２】実施の形態の照明器具の正面図である。
【図３】実施の形態の照明器具の背面図である。
【図４】実施の形態の照明器具の上面図である。
【図５】実施の形態の照明器具の下面図である。
【発明を実施するための形態】
【０００９】
以下、図面を参照しながら、実施の形態の照明器具および街路灯を説明する。複数の図面同士の間において、同一の参照符号が付された部分同士は、図面上における形状に多少の相違があっても、特段の記載がない限り、互いに同一の機能を発揮するものとする。
【００１０】
図１〜図５に示されるように、照明器具１００は、光源Ｌと、光源Ｌを取り囲むように設けられ、光源Ｌが発する光を透過させる光透過部Ｔと、光源Ｌおよび光透過部Ｔを支持する支持部Ｓと、を備えている。
【００１１】
照明器具１００の支持部Ｓの円筒形状を有する接続部６には、野外、たとえば、車道Ｃと歩道Ｗとの境界線の歩道Ｗ側から上方へ延びるポールＰの円筒形状の上端部Ｕが挿入されている。照明器具１００の支持部Ｓの円筒部とポールＰの円筒形状の上端部Ｕとは、締付ボルト６１によって締付固定されている。したがって、本実施の形態においては、照明器具１００は、ポールＰと一体となって、高所から低所を照らす街路灯１０００を構成している。
【００１２】
光源Ｌは、光を発するものであれば、ハロゲンランプ、水銀灯、蛍光灯、または発光ダイオード等のいかなるものであってもよい。ただし、照明の持続性の観点から、光源Ｌとして、発光ダイオードが用いられることが好ましい。光源Ｌは、後述される支持部Ｓの底面部５の上面から上方へ突出するように設けられたソケット１０の上端に固定されている。
【００１３】
光透過部Ｔは、光源Ｌが発した光の少なくとも一部を透過するものであれば、アクリル、ポリカーボネート、またはガラス等のいかなる材料によって構成されていてもよい。ただし、景観を良好にする観点から、光透過部Ｔは、光源Ｌが直接視認されない程度の光透過率を有している材料で構成されていることが好ましい。光透過部Ｔは、後述されるように、１つの平面パネル４と３つの平面パネル７とによって形成されている。
【００１４】
光透過部Ｔのうちの平面パネル４と平面パネル４に対向する１つの平面パネル７には、家紋１１および家紋１２が付されている。家紋１１および家紋１２は、たとえば、ポリカーボネート板、アクリル板、またはステンレス鋼板等に彫られたものであってもよい。また、家紋１１および家紋１２は、ポリカーボネート板、アクリル板、またはステンレス鋼板等に描かれたり、貼られたりするものであってもよい。本実施の形態においては、家紋１１および家紋１２は、黒色カッティングシートがポリカーボネート板、アクリル板、またはステンレス鋼板等に貼られることによって形成されている。
【００１５】
支持部Ｓは、光源Ｌおよび光透過部Ｔを支持することができるものであれば、鉄板、銅板、またはステンレス鋼板等のいかなる材料によって構成されていてもよい。ただし、支持部Ｓは、照明器具１００が雨風に曝される外部空間に設置される場合には、耐久性および耐候性の高いステンレス鋼板等の材料によって構成されていることが好ましい。支持部Ｓは、前述の接続部６と、平面視においてほぼ正方形の形状を有する底面部５と、底面部５の４つの角部からそれぞれ斜め外側の上方へ延びる４本の見切り材３と、４本の見切り材３のそれぞれの上端に固定された屋根部２と、を含んでいる。
【００１６】
図５に示されるように、支持部Ｓは、円柱状のポールＰの上端部Ｕが挿入される円筒状の接続部６と、接続部６の上端に取り付けられ十字に交差する交差部６０と、交差部６０に固定された正方形の枠を構成する枠部６２と、を備えている。正方形の枠部６２内には、アクリル板からなる平面パネル９が嵌め込まれている。
【００１７】
本実施の形態においては、光透過部Ｔは、光透過率が相対的に高い部分、たとえば、平面パネル７（図１，図２参照）と、光透過率が相対的に低い部分、たとえば、平面パネル４（図３参照）とを含んでいる。本実施の形態においては、相対的に光透過率が高い平面パネル７は、アクリル板からなり、相対的に光透過率が低い平面パネル４は、ポリカーボネート板からなる。そのため、強い光が照射されることが好ましい領域、たとえば、車道Ｃの表面と、強い光が照射されることが好ましくない領域、たとえば、歩道Ｗの表面との双方が存在する場合にも、それぞれの領域に適切な強さの光を照射することができる。
【００１８】
前述の光透過部Ｔは、光源Ｌを取り囲むように配置された少なくとも３つの平面パネルによって構成されている。少なくとも３つの平面パネルのうちの少なくとも１つの平面パネルの光透過率が少なくとも３つの平面パネルのうちの他の１つの平面パネルの光透過率よりも低い。そのため、光透過率が相対的に高い部分、たとえば、平面パネル７と、光透過率が相対的に低い部分、たとえば、平面パネル４とを簡単に形成することができる。
【００１９】
具体的には、前述の他の１つの平面パネルが相対的に低い光透過率を有するポリカーボネートの平面パネル４からなっており、３つの平面パネルが相対的に高い光透過率を有するアクリルの平面パネル７からなっている。このような市販されている平面パネルを用いれば、光源Ｌが発した光が照射されるそれぞれの方向における光透過部Ｔの光透過率の程度を簡単に調整することができる。
【００２０】
本実施の形態においては、前述の少なくとも３つの平面パネルが４つの平面パネル、すなわち、３つの平面パネル７と１つの平面パネル４とからなる。本実施の形態においては、４つの平面パネルの配置は、平面視において、四角、特に正方形の４辺を構成するように配置されている。そのため、灯篭のような４方向に光を照射する照明器具１００において、強い光が照射されることが好ましい領域と強い光が照射されることが好ましくない領域とのそれぞれに適切な強度の光を照射することができる。
【００２１】
ただし、少なくとも３つの平面パネルの配置は、平面視において、三角形の３辺を構成するように配置されてもよい。また、少なくとも３つの平面パネルの配置は、平面視において、五角形の５辺、六角形の６辺、８角形の８辺、または、１２角形の１２辺を構成するように配置されてもよい。
【００２２】
また、光透過部Ｔは、１つの円筒形状または角筒形状の部材からなっていてもよい。この場合、１つの円筒形状または角筒形状の部材の一部の光透過率が他の部分の光透過率よりも低ければよい。要するに、光透過部Ｔは、相対的に強い光が照射されることが好ましくない領域に向く部分が他の部分に比較して相対的に光透過率が低ければ、いかなるものであってもよい。
【００２３】
本実施の形態においては、４つの平面パネル、すなわち、１つの平面パネル４と３つの平面パネル７とは、いずれも、下辺が上辺よりも短い、いわゆる逆台形の形状を有している。また、逆台形の形状を有する平面パネル４および平面パネル７は、それぞれ、下方へ向かうほど先が細くなる裁頭角錐の４つの側面を構成している。そのため、光源Ｌから発せられた光を照明器具１００から斜め下方へ導くことができる。その結果、照明器具１００は、その斜め下方の位置を照らすことに適している。したがって、本実施の形態においては、照明器具１００は、街路灯１０００のポールＰの上端部Ｕに固定されて用いられる。
【００２４】
図１〜図３から分かるように、本実施の形態においては、平面パネル４と平面パネル７との間に見切り材３が設けられている。そのため、見切り材３が平面パネル４と平面パネル７との間に設けられていない場合に比較して、光透過率が相対的に高い部分、たとえば、平面パネル７と光透過率が相対的に低い部分、たとえば、平面パネル４との明暗の差を感じにくくすることができる。なお、２つの平面パネル７同士の間にも見切り材３が設けられている。
【００２５】
見切り材３は、平面パネル４および平面パネル７のそれぞれの両側辺に沿って斜め上方に延びるように配置されている。見切り材３は、平面パネル４または平面パネル７の端部が挿入される挿入溝を有している。そのため、平面パネル４および平面パネル７のそれぞれは、支持部Ｓに固定される。
【００２６】
図１〜図３から分かるように、見切り材３の上端には屋根部２が固定されている。また、見切り材３の下端は、底面部５に固定されている。つまり、２つの見切り材３、屋根部２、および底面部５が、逆台形の形状を有する平面パネル４または平面パネル７のそれぞれの外周を取り囲んでいる。したがって、３つの平面パネル７および１つの平面パネル４は、それぞれ、独立したパネルとして見えるように、照明器具１００の一部を構成している。
【００２７】
具体的には、光源Ｌが発した光は、平面パネル４を通過して、図１に示される車道Ｃから遠い側の歩道Ｗの端部の領域に照射される。また、光源Ｌが発した光は、３つの平面パネル７のそれぞれを通過して、図１に示される車道Ｃの表面および車道Ｃと歩道Ｗとの境界線を跨ぐ領域に照射される。
【００２８】
たとえば、京都や津和野のような小京都と呼ばれる地域では、旅行客の鑑賞用に、図１に示される車道Ｃから遠い側の歩道Ｗの端部の領域に鯉Ｆが飼われている側溝Ｇが設けられている場合がある。このような場合に、夜に鯉Ｆが飼われている側溝Ｇに強い光が照射されると、強い光が鯉Ｆの生息状態に悪影響を与えることが考えられる。しかしながら、本実施の形態の街路灯１０００であれば、鯉Ｆが飼われている側溝Ｇに、相対的に強い光が照射されず、相対的に弱い光しか照射されないため、鯉Ｆの生息状態に悪影響を与えることを抑制することができる。
【００２９】
ただし、本実施の形態の照明器具１００および街路灯１０００の用途は、鯉Ｆが飼われている側溝Ｇへ相対的に弱い光を照射する用途に限定されない。本実施の形態の照明器具１００および街路灯１０００は、強い光が照射されることが好ましい領域と強い光が照射されることが好ましくない領域とのそれぞれに適切な強さの光を照射するのであれば、いかなる用途に適用されてもよい。
【００３０】
本実施の形態においては、照明器具１００の支持部Ｓは、街路灯１０００のポールＰの上端部Ｕに取り付け可能に構成されている。そのため、照明器具１００を上方から下方を照らす街路灯１０００として使用することができる。なお、街路灯１０００の高さはいかなるものであってもよい。
【００３１】
ただし、照明器具１００の用途は、街路灯１０００に限定されず、強い光が照射されることが好ましい領域と強い光が照射されることが好ましくない領域との双方が存在する場合に用いられるものであればよい。具体的には、照明器具１００は、平面視において光源Ｌを取り囲み、相対的に光透過率が高い部分と相対的に光透過率が低い部分とを有する光透過部Ｔを有していれば、その形状および配置等は、いかなるものであってもよい。
【００３２】
図１から分かるように、本実施の形態の街路灯１０００は、地面、たとえば、車道Ｃと歩道Ｗとの境界線の近傍の表面から上方へ延びるポールＰと、ポールＰの上端部Ｕに取り付けられた前述の照明器具１００と、を備えている。光透過部Ｔは、光透過率が相対的に高い部分、たとえば、平面パネル７を透過した光が車道Ｃに向かって照射され、かつ、光透過率が相対的に低い部分、たとえば、平面パネル４を透過した光が歩道Ｗに向かって照射されるように配置されている。そのため、車道Ｃに相対的に強い光を照射し、歩道Ｗに相対的に弱い光を照射することができる。
【００３３】
本実施の形態においては、図５に示されるように、底面部５には、平面パネル９が設けられている。平面パネル９は、平面パネル７と同一の光透過率を有しているものとする。ただし、照明器具１００の真下、すなわち、ポールＰの地面に対する付根の近傍の領域に相対的に強い光を照射したくない場合、平面パネル９の光透過率を３つの平面パネル７および１つの平面パネル４の光透過率よりも低くすればよい。たとえば、照明器具１００の真下に鯉Ｆが生息する側溝Ｇが設けられている場合には、照明器具１００の下方を向く平面パネル９が３つの平面パネル７および１つの平面パネル４よりも相対的に低い光透過率を有していることが好ましい。
【００３４】
以下、実施の形態の照明器具１００および街路灯１０００の特徴的構成およびそれにより得られる効果を述べる。
【００３５】
（１）  照明器具１００は、光源Ｌと、光源Ｌを取り囲むように設けられ、光源Ｌが発する光を透過させる光透過部Ｔと、光源Ｌおよび光透過部Ｔを支持する支持部Ｓと、を備えている。光透過部Ｔは、光透過率が相対的に高い部分、たとえば、平面パネル７と光透過率が相対的に低い部分、たとえば、平面パネル４とを含んでいる。これによれば、強い光が照射されることが好ましい領域、たとえば、車道Ｃの表面と強い光が照射されることが好ましくない領域、たとえば、歩道Ｗの表面との双方が存在する場合にも、それぞれの領域に適切な強さの光を照射することができる。
【００３６】
（２）  光透過部Ｔは、光源Ｌを取り囲むように配置された少なくとも３つの平面パネル４，７によって構成されていてもよい。この場合、少なくとも３つの平面パネル４，７のうちの少なくとも１つの平面パネル４の光透過率が少なくとも３つの平面パネル７のうちの少なくとも２つの他の平面パネル７の光透過率よりも低くてもよい。これによれば、光透過率が相対的に高い部分、たとえば、平面パネル７と、光透過率が相対的に低い部分、たとえば、平面パネル４とを簡単に形成することができる。
【００３７】
（３）  少なくとも３つの平面パネル４，７が４つの平面パネル４，７であってもよい。これによれば、灯篭のような４方向に光を照射する照明器具１００において、強い光が照射されることが好ましい領域と強い光が照射されることが好ましくない領域とのそれぞれに適切な強度の光を照射することができる。
【００３８】
（４）  少なくとも１つの平面パネル４と少なくとも２つの他の平面パネル７との間に見切り材３が設けられていることが好ましい。これによれば、見切り材３が平面パネル４と平面パネル７との間に設けられていない場合に比較して、光透過率が相対的に高い部分、たとえば、平面パネル７と光透過率が相対的に低い部分、たとえば、平面パネル４との明暗の差を感じにくくすることができる。
【００３９】
（５）  支持部Ｓが街路灯１０００のポールＰの上端部Ｕに取り付け可能に構成されていてもよい。これによれば、照明器具１００を街路灯１０００として使用することができる。
【００４０】
（６）  街路灯１０００は、地面から上方へ延びるポールＰと、ポールＰの上端部Ｕに取り付けられた前述の照明器具１００と、を備えている。光透過部Ｔは、光透過率が相対的に高い部分、たとえば、平面パネル７を透過した光が車道Ｃに向かって照射され、かつ、光透過率が相対的に低い部分、たとえば、平面パネル４を透過した光が歩道Ｗに向かって照射されるように配置されている。これによれば、車道Ｃに相対的に強い光を照射し、歩道Ｗに相対的に弱い光を照射することができる。
【符号の説明】
【００４１】
４，７  平面パネル
１００  照明器具
１０００  街路灯
Ｌ  光源
Ｐ  ポール
Ｃ  車道
Ｓ  支持部
Ｔ  光透過部
Ｕ  上端部
Ｗ  歩道
【図１】
2020155287.tif 000003
【図２】
2020155287.tif 000004
【図３】
2020155287.tif 000005
【図４】
2020155287.tif 000006
【図５】
2020155287.tif 000007